Podtech/llm-jp-corpus-v4-ja_patent huggingface dataset:
(57)【要約】      （修正有）【課題】携帯電話にツボの押圧を兼ねた振動伝達用突起物を付けることによって、いつでもどこでも安全で快適なツボ刺激健康法を提供する。【解決手段】携帯電話の着信通知用バイブレーターを利用し、本体１の任意の面の中央部にツボの押圧を兼ねた振動伝達用突起物２を付け、収納時は該振動伝達用突起物２を押し込んだ状態でレバー付きピンを差し込む。また、該振動伝達用突起物２を雄ねじ付きにして、振動伝達用突起物２を着脱可能にしたことを特徴とする。【選択図】図１
2009254769.tif 000002
【特許請求の範囲】
【請求項１】
携帯電話の本体１に、ツボの押圧を兼ねた振動伝達用突起物２を付けた、指圧マッサージ機能付き携帯電話。
【請求項２】
携帯電話の本体１に、ツボの押圧を兼ねた振動伝達用突起物２を本体内の空間４に収納出来るようにした請求項１の、指圧マッサージ機能付き携帯電話。
【請求項３】
携帯電話の本体１に雌ねじ１１を設けて、ツボの押圧を兼ねた振動伝達用突起物２を雄ねじ付き１２にして、その突起物２を脱着可能にした請求項１の、指圧マッサージ機能付き携帯電話。
【発明の詳細な説明】
【技術分野】
【０００１】  本発明は、人体のツボに押圧刺激と振動刺激を加えることが出来る機能を備えた携帯電話に関するものである。
【背景技術】
【０００２】  従来から、ツボを押圧するためのポケットサイズの指圧器や棒状の形をしたポケットサイズのマッサージ用バイブレーターは存在していた。
【発明の開示】
【発明が解決しようとする課題】
【０００３】  肩や首が頻繁に凝る人は、ポケットサイズの指圧器や棒状の形をしたマッサージ用バイブレーターを常に携帯して出先で使用していた。しかし、次のような欠点があった。
（イ）外出先で、ポケットサイズの指圧器或いはマッサージ用バイブレーターを使いたいと思った時に、所持していないことがあった。
（ロ）家庭内で使用する場合に、本体が小さなものであるがゆえに置き場所を忘れて捜すことがあった。
（ハ）携帯電話を上着やズボンのポケットの中に入れて持ち歩く人は多いが、それに加えてポケットサイズの指圧器或いはマッサージ用バイブレーターをポケットに入れて持ち歩くことは非常に邪魔になり不便であった。
本発明は、これらの欠点を除くためになされたものである。
【課題を解決するための手段】
【０００４】  発明者は、人々が常に所持している物として携帯電話に着目した。携帯電話には、着信を知らせるためのバイブレーターが元々備わっており、その機能をマッサージ用バイブレーターとして利用することが出来る。着信を知らせるためのバイブレーターの微弱な振動を効率よく身体に伝えるために、携帯電話本体１の任意の面の中央部にツボの押圧を兼ねた振動伝達用突起物２をつけた。
【発明の効果】
【０００５】  現代人は、携帯電話を肌身離さず所持している人が多い。したがって、携帯電話本体１にツボの押圧を兼ねた振動伝達用突起物２を付けたことにより、携帯電話の機能の一つである着信時のバイブレーターをお好みに設定するというコマンドを選択することで、実際に着信がなくてもお好みのリズムの振動をいつでもツボマッサージ用として利用できるようになった。また、一般的なマッサージ用バイブレーターは刺激を伝えるための振動体の面積が広いので、強い振動を発生させなくてはならなかった。しかし、携帯電話本体１に付けたツボの押圧を兼ねた振動伝達用突起物２は、その先端の面積を小さくすることにより、携帯電話の微弱な振動でも効率よくツボに刺激を加えることが出来た。また、ポケットサイズの指圧器やマッサージ用バイブレーターを持ち歩くよりも指圧マッサージ機能付き携帯電話の方が所持忘れが大幅に減少するという効果が得られた。さらには、ポケットサイズの指圧器やマッサージ用バイブレーターを常に持ち歩くという不便さも解消した。
【発明を実施するための最良の形態】
【０００６】  以下、本案の実施について述べる。
（イ）携帯電話の本体１に、ツボの押圧を兼ねた振動伝達用突起物２を付ける方法として、本体のケースと突起物２を一体式にする。
（ロ）ツボの押圧を兼ねた振動伝達用突起物２が外部に突出したままでは邪魔になる場合があるので、本体内の空間４に収納出来る形式を考えた。ツボの押圧を兼ねた振動伝達用突起物２を本体内の空間４に収納出来るようにするためには、突起物２にＡ〜Ｂの方向に上段の穴５と下段の穴６をそれぞれ設ける。そして、突起物２の基底部には本体と連結されているスプリング７を設ける。
（ハ）ツボの押圧を兼ねた振動伝達用突起物２を使用しないときは、それを本体内の空間４に固定しておくための、レバーの一部が本体の外部に飛び出しているレバー付きピン８を設ける。レバー付きピン８には、レバーを引いた後に手を離したら瞬間的にＡの方向である元の位置に戻るように本体と連結してあるスプリング９が設けてある。また、レバー付きピン８がＡ〜Ｂの方向に移動できるように、突起物２が付いている本体の面には一直線に切り欠いたガイド用の隙間１０が設けてある。
（ニ）ツボの押圧を兼ねた振動伝達用突起物２を本体内の空間４に収納しておくためには、突起物２を押し込んだ状態でレバー付きピン８を突起物２の上段の穴５に差し込んでおく。本体内の空間４に収納されている押圧を兼ねた振動伝達突起物２を外部に出すためには、突起物２の上段の穴５に差し込んであるレバー付きピン８をＢの方向にスライドさせるとよい。レバー付きピン８をＢの方向にスライドさせると、突起物２の基底部に付けてあるスプリング７の反発力で突起物２は瞬間的に外部に飛び出す。突起物２が外部に飛び出したなら、レバー付きピン８を突起物２に設けてある下段の穴５に差し込めば、突起物２は本体にしっかりと固定され振動を伝えることが出来るようになる。
（ホ）ツボの押圧を兼ねた振動伝達用突起物２を取り外し可能にする方法も考えた。突起物２を脱着可能にするための手段として、本体に雌ネジ付きの穴１１を設ける。突起物２は、雄ネジ付き１２の構造にする。この形式にすれば、押圧を兼ねた振動伝達用突起物２は、大小長短の様々な突起物２を揃えておくことにより、好みの形状やサイズの突起物を状況に合わせて使用できるという利点がある。
【図面の簡単な説明】
【０００７】
【図１】  本発明の斜視図である。
【図２】  本発明の他の実施例を背面から見た断面図である。
【図３】  本発明の他の実施例の平面図である。
【図４】  本発明の他の実施例を背面から見た断面図である。
【符号の説明】
【０００８】１    本体
２    振動伝達用突起物
３    ディスプレイ
４    本体内の空間
５    上段の穴
６    下段の穴
７    スプリング
８    レバー付きピン
９    スプリング
１０  ガイド用の隙間
１１  雌ネジ
１２  雄ねじ
【図１】
2009254769.tif 000003
【図２】
2009254769.tif 000004
【図３】
2009254769.tif 000005
【図４】
2009254769.tif 000006
(57)【要約】      （修正有）【課題】空気取り入れ口面積を極端に小さくした貼るタイプの化学カイロを提供する。【解決手段】空気取り入れ面を針孔シート１−１、又は、空気取り入り口の面積を極端に小さくしたシートで覆うことを特徴とする貼るタイプの化学カイロ。【選択図】図１
2009254770.tif 000002
【特許請求の範囲】
【請求項１】
空気取り入れ面を針穴シート又は通気部分の面積を極端に小さくしたシートで酸化剤を覆うことを特徴とする貼る形の化学カイロ。
【発明の詳細な説明】
【技術分野】
【０００１】  本発明は、空気取り入れ面積を極端に小さくした化学カイロに関するものである。
【背景技術】
【０００２】  従来、空気取り入れ口の面積が大きく、酸化発熱する温度の高い化学カイロがあった。
【発明の開示】
【発明が解決しようとする課題】
【０００３】そのために、次のような問題点があった。
（イ）  化学カイロを使用すると、酸化がはやいために温度が上昇し肌が低温やけどをする恐れがあった。
（ロ）  化学カイロ使用時に布などで包む断熱処置を施す必要があった。
（ハ）  酸化がはやいため、酸化剤が短時間に消耗する心配があった。
本発明は、これらの問題点を解決するためになされたものであ。る。
【課題を解決するための手段】
【０００４】  空気取り入れ口の面積を極端に小さくして、酸化を緩やかにすることを特徴とする化学カイロである。
【発明の効果】
【０００５】  酸化が緩やかで、温度が上昇せず化学カイロを皮膚の近くに着けても低温やけどの心配もなく、緩やかに長時間はたらくため、きわめて安全で経済的である。
【発明を実施するための最良の形態】
【０００６】以下、本発明の実施の形態について説明する。
（イ）貼るタイプの化学カイロの粘着シート（２）の上に酸化剤（３）をのせ、その上に空気取り入れの  針孔シート（１）−１  又は、通気部分の面積を極端に小さくしたシート（１）−２で覆い  周りの部分を接合する。
（ロ）化学カイロの全体を、空気遮断のビニール袋（４）に入れて保管する。
（ハ）化学カイロを使用するするときは、空気遮断のビニール袋（４）を開き化学カイロを取り出し、粘着面  （２）を直接肌着に貼って使用する。
酸化剤は、ゆるやかに酸化するために、低温やけどの心配もなく低温が、長時間保たれる。
【図面の簡単な説明】
【０００７】
【図１】  本発明の斜視図
【図２】  化学カイロをビニール袋に入れた断面図
【図３】  針孔シート
【図４】  通気部の面積を極端に小さくしたシートの図
【符号の説明】
【０００８】  １−１    針孔シート
１−２    通気部面積を極端に小さくしたシート
２        粘着シート
３        酸化剤
４        空気遮断ビニール袋
【図１】
2009254770.tif 000003
【図２】
2009254770.tif 000004
【図３】
2009254770.tif 000005
【図４】
2009254770.tif 000006
(57)【要約】【課題】  本発明は、物干し作業を作業者自身が移動しながら行うのではなく、干した洗濯物を移動させることにより、作業を容易に行うことができる。また、干した洗濯物を固定することにより風等で落ちることを防ぐことができる、伸縮性のバネを利用した物干し装置を提供する。【解決手段】  パンタグラフ式のアームの中心部に滑車を設け、これをレールに挿入し、水平方向への伸縮運動により、付属のグリップで掛けたハンガーを手動で均等に配置できることを特徴とする物干し装置。【選択図】図１
2009254765.tif 000002
【特許請求の範囲】
【請求項１】
パンタグラフ式のアームの中心部に滑車を設け、これをレールに挿入し、水平方向への伸縮運動により、付属のグリップで掛けたハンガーを手動で均等に配置できることを特徴とする物干し装置。
【請求項２】
請求項１の装置にプラスチック製の輪を設け、掛けたハンガーを固定できることを特徴とする物干し装置。
【発明の詳細な説明】
【技術分野】
【０００１】  本発明は、物干し作業を作業者自身が移動しながら行うのではなく、干した洗濯物を移動させることにより、作業を容易に行うことができる。また、干した洗濯物を固定することにより風等で落ちることを防ぐことができる、伸縮性のバネを利用した物干し装置に関するものである。
【背景技術】
【０００２】  従来は、ロープと滑車を利用したもので、実施者がロープまたは鎖を手動で引き洗濯物を拡散、集合させていた。
ロープを何度も引く作業はお年寄り等には労苦である（特許文献１、２参照）。
【特許文献１】特開３０２５６７５号公報
【特許文献２】特開５１９５８３号公報
【発明が解決しようとする課題】
【０００３】  物干し作業は、作業者自身が移動しながら洗濯物をロープ、または、竿に掛けて行かなければならず、高所で狭いベランダなどでは作業が困難であり危険である。
また、風等で洗濯物が落ちてしまい、洗濯物が汚染されてしまう可能性がある。
本発明は、このような欠点を解決するために発明されたものである。
【課題を解決するための手段】
【０００４】  伸縮性のバネ（１）を市販の物千し竿に設置し、手動によりレール（４）上のバネを伸縮させることで、干した洗濯物の間隔を可変にする。
また、バネ（１）付属のプラスチック製の輪（６）に洗濯物を掛けることで、風等で動かないようにする。
本発明は、以上のような構成よりなる物干し装置である。
【発明を実施するための最良の形態】
【０００５】  以下、本発明の実施例について説明する。
伸縮性のバネ（１）を市販の物干し竿に設置し、手動によりレール（４）上のバネを伸縮させることで、干した洗濯物の間隔を可変にする。
また、バネ（１）付属のプラスチック製の輪（６）に洗濯物を掛けることで、風等で動かないようにする。
バネ（１）の設置場所を決め固定し、これを使用するときは、プラスチック製の輪（６）に洗濯物を掛け、グリップ（５）を開帳し、バネを伸展させ洗濯物を移動させる。
この動作により洗濯物を移動させて行くのである。
また、洗濯物を取り込む場合も、この逆の動作をくり返せばいいのである。
【発明の効果】
【０００６】  したがって、高所で狭いベランダなどで、作業者自身が移動することなく容易に安全に物干し作業が行え、洗濯物が飛ばされる心配が軽減する。
また、高齢者などの体の不自由な人が使用する場合もこれに同じである。
伸縮性のバネ（１）を市販の物干し竿に設置し、手動によりレール（４）上のバネを伸縮させることで、干した洗濯物の間隔を変えることができる。
また、バネ（１）付属のプラスチック製の輪（６）に洗濯物を掛け、固定することで、風等で動くことを防止できる。
【図面の簡単な説明】
【０００７】
【図１】  本発明の斜視図
【図２】  本発明の正面図
【図３】  本発明の背面図
【図４】  本発明の滑車（２）の斜視図
【図５】  本発明のレール（４）の斜視図
【図６】  本発明の使用状態を説明した斜視図
【符号の説明】
【０００８】  １  伸縮性のバネ
２  滑車
３  設置用フック
４  レール
５  グリップ
６  ハンガー設置用の輪
【図１】
2009254765.tif 000003
【図２】
2009254765.tif 000004
【図３】
2009254765.tif 000005
【図４】
2009254765.tif 000006
【図５】
2009254765.tif 000007
【図６】
2009254765.tif 000008
(57)【要約】【課題】    本発明は、従来市販されている鋏などでは、二枚の刃の部分が平行になっているため、粘着剤の付いた紙布類、例えば、ガムテープ、両面テープ等の粘着剤の付いた物を切る時、粘着剤が鋏の刃に付着して容易に切ることが出来なかった。【解決手段】  本発明は、鋏の両刃を交差させ接点を極小一点として鋏刃体１の刃の上を鋏刃体２の刃が密着、すべりながら切断するようにした。それによって、粘着剤が鋏の刃に付着せず、容易に対象物を切ることが出来るようになった。又、スプリングの替わりに板バネを使っても良い。尚、普通の鋏としても使える。【選択図】図２
2009254768.tif 000002
【特許請求の範囲】
【請求項１】
交差させた鋏刃体１と鋏刃体２と各々の握り部３．３からなる鋏に於いて、鋏刃体１と鋏刃体２の支点接合部分の貫通孔にボルト５を通し、両刃体１，２の内側間に貫通孔のあいた片側直角、反対側鋭角の切片１１、上記ボルト５を挟み、鋏刃体２の外側に出たボルトにワッシャー、スプリング、ワッシャー、ナットネジの順で止めた、粘着テープ等の切断を主とする粘着テープ鋏。
【発明の詳細な説明】
【技術分野】
【０００１】  本発明は粘着テープ用の鋏に関する。
【背景技術】
【０００２】  従来一般に市販されている鋏は、二枚の刃の部分が平行になっている。
類似の先願特許である特許文献１と特許文献２は共に同じく両刃が平行である。特許文献１は粘着剤が付着せぬように両刃がハマグリ刃になっている。特許文献２は両刃の切刃の部分を光沢のある表面仕上げと内面に隙間を作ることによって粘着剤が付着するのを防いでいる。
【特許文献１】  特開２００１−３１４６６９
【特許文献２】  特開２００１−２１２３８１
【発明の開示】
【発明が解決しようとする課題】
【０００３】  従来の一般的に市販されている鋏は、両刃が平行であり紙類を切る事は容易に出来た。
しかしながら、従来の鋏ではガムテープ、両面テープ等の粘着剤の付いた紙類を切った時、鋏の刃の部分に糊が付着してしまい、長いものや連続して切ることが出来ません。
それでも切る場合には、刃の部分を、揮発性の液体で刃に付いた粘着剤を拭き落とさないと、再度切ることが出来ないといった問題点を有していた。
【課題を解決するための手段】
【０００４】  上記の目的を達成するために、両刃の接点を一点として極力小さくする方法で、両刃を交差させ接点を極小にした。
【発明の効果】
【０００５】粘着テープ等、糊の付着した物を、本発明による鋏で切っても、ほとんど糊が鋏の刃の部分に付着せず、細長く切ったり、連続に切っても普通紙を切るような感覚で、なんら抵抗なく作業することが出来る。
【発明を実施するための最良の形態】
【０００６】  両刃を交差させる為に図に示す通り、鋏刃体１の中央支点接合部の貫通孔に外側からボルト５を通し、鋏刃体１の内側に案内ガード切片８（中央に貫通孔１１のあいた下側直角、上側１０〜１８度角位の切片）をボルト５に通して下側直角の方を接着固定する。その上に鋏刃体Ｂの内側を下にボルト５に通し乗せ、鋏刃体２の外側上に出たボルト５にワッシャー７−１、スプリング４、ワッシャー７−２、ナットネジ６−１、６−２のダブル掛け（ナットネジが緩まないように）の順に通し固定する。尚、案内ガード８の上側鋭角の方は鋏刃体２に固定せずに、鋏刃体２が自由に動くようにする。また、ナットネジを締めたり、緩めたりしてスプリング４を強めたり、弱めたりして鋏の切れ味を加減する。
それから、鋏刃体２の支点接合部の穴の後、握り柄との間の部分、柄９を内側に曲げ、鋏刃体２の握り柄と鋏刃体１の握り柄が平行一直線に重なるようにする。
【図面の簡単な説明】
【０００７】
【図１】実施例の正面図
【図２】実施例の側面図
【図３】実施例の接続部分の拡大図
【符号の説明】
【０００８】１      鋏刃体１
２      鋏刃体２
３      握り柄
４      スプリング
５      ボルト
６−１  ナットネジ
６−２  ナットネジ
７−１  ワッシャー
７−２  ワッシャー
８      案内ガード切片
９      柄
１０    貫通孔
１１    貫通孔
【図１】
2009254768.tif 000003
【図２】
2009254768.tif 000004
【図３】
2009254768.tif 000005
(57)【要約】【課題】本発明は、洗面器で湯水をかけるとき、湯水の出口に工夫が無く湯水を出すため、湯水は一塊のようになって流れ出るので、湯水を効率よく使える洗面器を提供する。【解決手段】湯水の流れ出る胴上縁部３の上側の一部分に複数の穴７を開けた平板４を設け湯水を細かく分けて出し、シャワーのように流水させ効率よく使用できるように構成したことを特徴とする。【選択図】図１
2009254720.tif 000002
【特許請求の範囲】
【請求項１】
洗面器1の胴上縁部３の一部分に、複数の穴７を設けた平板4を設けたことを特徴とする洗面器。
【発明の詳細な説明】
【技術分野】
【０００１】
本発明は、手持ち洗面器の改良に関するものである。
【背景技術】
【０００２】
従来形の洗面器で水や湯をくみ出して洗髪や身体を洗うとき、湯水をかけると湯水は一塊のようになって流れるのが普通であった。
【発明の開示】
【発明が解決しようとする課題】
【０００３】
従来の洗面器を使うとき、洗面器の広い開口部から一度に一塊になって湯水が流出するために、シャワーのように湯水を分散させて流し出すことが出来なかった。
本発明は以上の問題点を解決する洗面器である。
【課題を解決するための手段】
【０００４】
洗面器の開口面の上縁部の一部分に、開口縁に沿って上方へ突出させた平板を設け、平板は複数の穴を貫通させる。
本発明を使用するときは、洗面器に湯水を入れて、洗面器を傾斜させると湯水は平板の穴よりシャワーのように流れ出る。
【発明の効果】
【０００５】
本発明の洗面器は、胴上縁部３の上側一部分に穴開きの平板４が設けられているので傾けた際、湯水５をその穴から細かく分けて流し出し効率よく湯水を使うことができるようになる。
【発明を実施するための最良の形態】
【０００６】
以下、本発明の実施の形態を図1について説明する。
（イ）、上面を開口した胴部2を有する洗面器１の胴上縁部3の一部分に、開口縁に沿って上方へ突出させかつ胴部2と同形状に湾曲した平板４を設ける。
（ロ）、平板4に、複数の穴7を貫通させて設ける。
（ハ）洗面器1の胴上縁部３に開口部の円周縁に沿って補強フランジ6を設け、平板4の縁部に補強フランジ6を設ける。
本発明は以上の構成よりなる。
本発明を使用するときは、図2に示すように、洗面器1に湯水5を入れて、洗面器1を傾斜させると湯水5は開口部より平板4へ流れ出し、その湯水5は平板4の穴7より滴下する。したがって、平板4の穴7を通過した湯水5は分散してシャワーのように流れ出る。
この特徴を利用し、旅館等営業用の浴場や家庭用に用いることで無駄な湯水の使用量を抑えることができる。
【図面の簡単な説明】
【０００７】
【図１】本発明の斜視図。
【図２】本発明の使用状態を示す斜視図。
【図３】補強フランジの付いた本発明の洗面器斜視図。
【図４】従来形の洗面器の斜視図。
【符号の説明】
【０００８】
１    洗面器
２    胴部
３    胴上縁部
４    平板
５    湯水
６    補強フランジ
７    穴
【図１】
2009254720.tif 000003
【図２】
2009254720.tif 000004
【図３】
2009254720.tif 000005
【手続補正書】
【提出日】平成20年5月22日(2008.5.22)
【手続補正１】
【補正対象書類名】明細書
【補正対象項目名】０００７
【補正方法】変更
【補正の内容】
【０００７】
【図１】本発明の斜視図。
【図２】本発明の使用状態を示す斜視図。
【図３】従来形の洗面器の斜視図。
(57)【要約】【課題】  複数連ハンガーの一度に移動が可能な長所を持ちつつ、ハンガーの間隔を容易に等間隔で変更することを可能にし、ハンガーの取り外しが出来るようにする。【解決手段】  ハンガーを連結する部分をレージ・トングといわれる機構（玩具のマジックハンドや家の門戸扉などに使われている）で構成する事で、間隔の変更が両端を動かすことによって、安易に等間隔で出来て、ハンガー挿入穴を設けて、別のハンガー等も使用出来るようにした。【選択図】  図１
2009254717.tif 000002
【特許請求の範囲】
【請求項１】
左右の取手を動かす事によって、複数の物の間隔を広くしたり、狭くしたり、出来る機構をもった道具である。
【請求項２】
左右の取手を車輪付のスタンドに変えると自立できる道具になる。
【請求項３】
間隔を変える複数の物は、取り外しが出来る。
【発明の詳細な説明】
【技術分野】
【０００１】
本発明は、ハンガーの間隔を容易に等間隔で変えることが出来る、物干し具及びハンガースタンドに関するものである。
【背景技術】
【０００２】
物干し竿にハンガーで衣服を干す場合、竿にハンガーを直に掛けると風に飛ばされたり、洗濯物同士がくっついて、乾きにくいといった点があった。
【０００３】
その改善策として、ハンガーが、物干し竿を掴む形状のハンガーとか、ハンガーと物干し竿を洗濯バサミで固定するように、しているが、この方法だと移動する時や、間隔を広げたり狭めたりする場合に、一つ一つのハンガーを移動する必要がある。
【０００４】
移動が、一度に出来る複数連のハンガーの場合は、ハンガーの間隔が一定で、天気が悪い時とか冬とかは、極力間隔を広く取って、干すことが望ましいのに、それが出来ない。
【発明の開示】
【発明が解決しようとする課題】
【０００５】
解決しようとする問題点は、一度に複数のハンガーを移動でき、なおかつ間隔の変更が、等間隔で安易に出来るようにすること。
【課題を解決するための手段】
【０００６】
本発明は、ハンガーを連結する部分にレージ・トングといわれる機構（玩具のマジックハンドや家の門戸扉などに使われている）で構成する。
【発明の効果】
【０００７】
本発明の可変ピッチハンガーは、可変ピッチハンガー自体を飛ばすぐらいの強風で無い限り風による影響は、少なく、ハンガー部分を別のハンガーに変更して使用した場合も、ハンガーを入れる穴（図４）を小さくした事によって、少しぐらいの風では、飛ばされにくい、複数連ハンガーと同じに、移動は、一度で出来、なおかつ間隔を等間隔で変える事が出来るので、移動時は、間隔を狭く持ち、干すときは、間隔を広げることが安易に出来るという利点がある。
【発明を実施するための最良の形態】
【０００８】
以下この発明である可変ピッチハンガーの実施形態について、図面に基づいて説明いたします。
【実施例１】
【０００９】
図１は、本発明装置の各部の名称を記した図で、符号２：リンクAと符号３:リンクBで、レージ・トング機構を構成し、符号５:ハンガー取付部に符号4：ハンガーが取り付いていて、両端の符号１:フックで物干し竿に掛けて使用する。
【００１０】
図２は、本発明装置の間隔を縮めた図で、この状態で、移動が出来るので、突然の雨などの時、すばやく取り込むことが出来、収納するのにもコンパクトになるので便利である。
【００１１】
図３は、本発明装置の間隔を広げた図で、この状態で、洗濯物を干すので、洗濯物同士の間隔が広くなるから、風通しや日当たりが良くなることで、洗濯物が乾きやすくなる利点がある。
【実施例２】
【００１２】
両端の符号1：フックをキャスター付のスタンドにする事によって、自立出来る複数連ハンガーになるので、たとえば、洋服屋のディスプレイ用として、店では、間隔を広げて洋服を見え易くし、閉店時等に収納する時は、縮めてコンパクトになるので便利である。
【非特許文献１】登録実用新案第３１１０８３６号
【実施例３】
【００１３】
図４は、ハンガーを取り外した図で、取り外しが出来ることで、別の様々なハンガー（針金ハンガー、肩幅が変更できるハンガー、バスタオル用のハンガー、等）を使用することが出来る。
【図面の簡単な説明】
【００１４】
【図１】各部の名称を記した図
【図２】装置を縮めた状態
【図３】装置を広げた状態
【図４】ハンガーを取り外した状態
【符号の説明】
【００１５】
１      フック
２      リンクA
３      リンクB
４      ハンガー
５      ハンガー取付部
６      ハンガー挿入穴
【図１】
2009254717.tif 000003
【図２】
2009254717.tif 000004
【図３】
2009254717.tif 000005
【図４】
2009254717.tif 000006
(57)【要約】【課題】  ハイキングの愛好者が増えるに伴ってトレッキングポールも広く普及した。トレッキングポールは機能上ポールの先を地面に突き刺す為鋭く尖っている。購入時の石突きキャップはセパレートになっているので使用時に紛失し易い。この為電車に持ち込む時は新聞紙やタオルで包んで他の乗客に危険を及ぼさない配慮が必要である。【解決手段】  一般的にはポールはザックに取り付ける。この時石突きがザックに当る部分に予めキャップを取り付けておく。ザック上のこのキャップを使用時にポケットから引き出し不要時にはポケット内に収めてられる。山行の邪魔にはならないしデザイン的にもすっきりして美しい。【選択図】図２
2009254776.tif 000002
【特許請求の範囲】
【請求項１】
トレッキングポールをザックに装着した時ポールの先端に当たる位置に、表面に２つ並べた穴を持つ天地逆向きの下に開くポケットを取り付け１本の紐をそれぞれの穴に通しポケットの内側に出た２本の紐の先端にポールの先端を受けるキャップを備えたことを特徴とするトレッキングポールの収納式キャップ。
【発明の詳細な説明】
【技術分野】
【０００１】  本発明はウオーキング、トレッキング、登山をする祭使用するザックのトレッキングポール保持方法に関する。
【背景技術】
【０００２】  近年ではその有効性が認められ、歩行にトレッキングポールを使うことが歩行者に広く浸透している。
【発明の開示】
【発明が解決しようとする課題】
【０００３】トレッキングポールの先端は石突きと呼ばれ地面に突いたポールの先が体重を乗せることでスリップしないよう鋭く尖っている。
購入時の新しいポールには予めキャップが被せてある。
しかしユーザーの殆どはセパレートタイプの為使用中に紛失してしまう。
ポールにキャップの無い状態で電車等に乗ることは周囲の乗客に対して極めて危険である。
ザックにポールが装着出来て周囲に危険の無い必要な時のみ取り出せるザックに装備した新規のトレッキングポール用収納式キャップを提供する。
【課題を解決するための手段】
【０００４】上記目的を達成する為、ザックにトレッキングポールを装着した状態で先端の石突き部分に該当する位置に、下方向に出し入れ口の有る逆さ向きのポケットを取り付けその表面に水平に２つ並べて穴を開け１本の紐の両端をそれぞれの穴に別々に通しポケットの内側に出た２本の端末に石突きを収めるキャップを取り付けたことを特徴とする
【発明の効果】
【０００５】トレッキングポールの非装着時にはザックのポケット内に本発明キャップは収納されて山行の邪魔には成らない。
ポールキャップはザックに常備されているので移動中石突きで周囲に危険を及ぼすことは無い。
【発明を実施するための最良の形態】
【０００６】図１のようにザック上にトレッキングポール２を置くとザックの底部分にポールの石突きがくる。ザック上のこの近辺に石突きキャップを収納するポケット６を取り付ける。ポケットの構造はポケットの表面上に穴５を２個間隔を持って開ける。この時補強材３を重ねると紐の動きが滑らかで耐久性が増す。
１本の紐４の両端をそれぞれの穴５に通しポケットの内側に出た２本の両端の先にバスケット状のキャップ受け７を取り付ける。
使用時にはキャップ引き出しつまみ８を引いてキャップを使用し不使用時には収納時引き上げ紐４を引き上げてキャップをポケット内に収納する。
【実施例】
【０００７】最近はハイキングから登山まで殆どの人がトレッキングポールを携行する。公共交通機関で移動する際ザックに備わっているトレッキングポールの収納式キャップを使用することにより危険な石突き部分は保護され他の人に危険を及ぼすことは無い。ザックとポールは常に一緒に置かれキャップの紛失、置き忘れに影響されることなく安全に山行が楽しめる。
【図面の簡単な説明】
【０００８】
【図１】  ザック上で本発明のキャップを使用してトレッキングポールを装着した正面図である。
【図２】  使用のためザックのポケットから本発明のキャップを引き出した正面図である。
【図３】  不使用時ザックポケット内に本発明キャップを戻した状態を示す図である。
【符号の説明】
【０００９】１    トレッキングポール上押さえベルト
２    トレッキングポール
３    ゴム台座
４    収納時引き上げ紐
５    通し穴
６    収納ポケット
７    石突き受けキャップ
８    キャップ引き出しつまみ
【図１】
2009254776.tif 000003
【図２】
2009254776.tif 000004
【図３】
2009254776.tif 000005
(57)【要約】      （修正有）【課題】電波により、太陽電池を発電太陽の照り具合からの制約の自由。【解決手段】２４Ｈの、又天候からの自由。又単位を層で少面積。そのために、任意の電波をアンテナでとり、電流で赤外線ＬＥＤを光らせるアンテナ４Ａ，ＬＥＤ１Ａです。又太陽電池は赤外線で発電。又、標準電波をバリコンでうけてもよい。コイルの巻き数をふやせばより強く光る。【選択図】図１
2009254226.tif 000002
【特許請求の範囲】
【請求項１】
一たんが、電波をうけて、電流にかえる部と、及び赤外線光源器と、太陽電池によるところの、電波による太陽電池の発電装置
【発明の詳細な説明】
【発明の詳細な説明】
【分野】
【０００１】電気
【従来】
【０００２】なかった
【課題】
【０００３】電波によるところの、太陽電池の発電装置
【方法】
【０００４】赤外線光源器にたとえば赤外線ＬＥＤがある。それは、太陽電池を光れば発電させる。又、電波を電流にかえて、ＬＥＤを発電させる値であれば、ＬＥＤは光る。例は、けいたい電話の送受信のコイルが、電波により、けいたい電話のアクセサリーの球を光らせること。又太陽電池は赤外線で発電
従って、電波で、赤外線ＬＥＤを光らせて、太陽電池を発電。
【効果】
【０００５】太陽の照り具合の制約なく、２４Ｈの又雨量でも、太陽電池の発電になる。又、層に構造して、面積を省略。（単位層）又電波を電流にかえるのは、アンテナでも、又、標準電波をバリコンでうけてもよい。
まわりを鏡で暗くおおってもよい。２４Ｈでコストも安くなる。
【図面の簡単な説明】
【図１】は発明の概念図  ［符号の説明］１は  アンテナ  ２は  コイル  ３は  赤外線用ＬＥＤ  ４は  太陽電池（モジュール）
【図２】は発明の概念図  ［符号の説明］  １は  コイル  ２は  バリコン（標準電波用）  ３は  赤外線用ＬＥＤ  ４は  太陽電池（モジュール）
【図１】
2009254226.tif 000003
【図２】
2009254226.tif 000004
【手続補正書】
【提出日】平成20年9月23日(2008.9.23)
【手続補正１】
【補正対象書類名】特許請求の範囲
【補正対象項目名】全文
【補正方法】変更
【補正の内容】
【特許請求の範囲】
【請求項１】
１たんが、電波受信とそれを  電流化する部と、及び、ライト部と、  及び、太陽電池によるところの、  電波による  太陽電池の発電装置。  なお、電波を電圧化し、整流しての、  合流は  よし。  又は、つまり電波によるところの、  電池の発電装置      2009254226.tif 000005
2009254226.tif 000006
(57)【要約】【課題】  常に新鮮な状態で大蒜を供給することができる大蒜の水耕栽培方法を提供する。【解決手段】  水槽１に所定のミネラルなどを添加した水をはり、水槽１の上にトレイ２を被せ、トレイ２の凹部３に鱗茎１個を収納する。そして、所定の日数が経過して鱗茎４から根４ａと芽４ｂが伸びてきて自立可能となったならば、そのタイミングで鱗茎４を根４ａと芽４ｂとともにトレイ２から取り出し、台所などの水を張った皿７の上にそのままの姿勢で置いて、必要なときに必要な量だけ調理する。【選択図】  図３
2009254295.tif 000002
【特許請求の範囲】
【請求項１】
水槽にセットしたトレイの凹部に複数の鱗片からなる鱗茎を収納し、前記凹部の底面に形成した穴から根が伸びるとともに芽が出た後、根の形状が平坦な面に置いても自立可能になった時点で、トレイから大蒜を取り出すようにしたことを特徴とする大蒜の水耕栽培方法。
【請求項２】
請求項１に記載の大蒜の水耕栽培方法において、前記水槽の底面でトレイの凹部に形成した穴に対向する箇所には上方への膨出部が形成されていることを特徴とする大蒜の水耕栽培方法。
【発明の詳細な説明】
【技術分野】
【０００１】
本発明は、大蒜（にんにく）の水耕栽培方法に関し、特に家庭において常に新鮮な状態で大蒜を調理することができる大蒜の水耕栽培方法に関する。
【背景技術】
【０００２】
大蒜を水耕栽培することに関しては特許文献１に開示されている。この特許文献１に開示される方法は、大蒜の鱗片を、温室内において発泡スチロール製育苗トレイ上で水槽に浮かべて水耕栽培し、４０％以上の遮光ネット下で、１０〜４０℃で３０〜４０ｃｍの植物体まで生育させる方法である。
【０００３】
一方、大蒜ではないが球根の水耕栽培方法として特許文献２に開示される方法が知られている。この方法は球根を収容するための多数の収容部を備えるプラスチック製トレイを水槽に浮かべて水耕栽培する際に、前記収納部に弾性的なクランプ手段を設けて、収納部内で球根が安定するようにしたものである。
【０００４】
【特許文献１】特開２００６−１７４７４４号公報
【特許文献２】特表２００２−５１９００２号公報
【発明の開示】
【発明が解決しようとする課題】
【０００５】
特許文献１に開示される方法によれば、水槽に入れたまま茎などが緑色になるまで、つまり野菜化するまで栽培するため、家庭内で冷蔵庫などに入れずに新鮮なまま調理するには水槽が必要になる。
【０００６】
また、特許文献２に開示される方法を大蒜の水耕栽培に応用した場合にも、やはり特許文献と同様に、野菜化するまで水耕栽培することになり、根が完全に張ってしまい、家庭内で新鮮なまま調理するには水槽が必要になる。
【課題を解決するための手段】
【０００７】
上記課題を解決するため本発明に係る大蒜の水耕栽培方法は、水槽にセットしたトレイの凹部に複数の鱗片からなる鱗茎を収納し、前記凹部の底面に形成した穴から根が伸びるとともに芽が出た後、根の形状が平坦な面に置いても自立可能になった時点で、トレイから大蒜を取り出すようにした。
根の形状を自立可能な形状に育成するには、比較的浅い水槽を用い、水槽の底面に沿って根が水平且つ放射状に伸びるようにする。
【０００８】
特に自立性を高めるには、水槽の底面でトレイの凹部に形成した穴に対向する箇所に上方への膨出部を形成し、この膨出部に沿って根が四方に伸びるようにすることが好ましい。
【発明の効果】
【０００９】
本発明によれば、根と芽が出た状態の大蒜が自立可能となっているため、例えば台所の皿に水を張ってその上に置いておくだけで、いつでも新鮮な状態の大蒜を必要な量だけ調理することができる。
【００１０】
また、最近では鱗片のみならず根や芽も食用に供されているが、これら根や芽についても新鮮な状態で、必要な量だけ調理し、残りは引き続き皿の上で栽培することができる。
【発明を実施するための最良の形態】
【００１１】
以下に本発明を実施するための最良の形態を添付図面等を参照して説明する。ここで、図１は本発明方法の実施に用いる水耕栽培装置の斜視図、図２は同水耕栽培装置の断面図、図３は根と芽が出た状態の図２と同様の断面図、図４は別実施例を説明した図３と同様の断面図、図５は皿の上で自立している状態の大蒜を示す図である。
【００１２】
水耕栽培装置は比較的底の浅い水槽１と、この水槽１の上にセットされるトレイ２からなる。トレイ２は発泡スチロールを材料とし、多数のテーパ状凹部３が形成されている。この凹部３は大蒜の鱗茎４を１個収納できる大きさとされ、その底部には穴５があけられている。
【００１３】
細胞方法としては、水槽１に所定のミネラルなどを添加した水をはり、水槽１の上にトレイ２を被せ、トレイ２の凹部３に鱗茎１個を収納する。この場合、トレイ２の下面と水槽１の底面との間隔は２〜４ｃｍとすることで、根が横に成育し、自立しやすくなる。
【００１４】
そして、所定の日数が経過すると、図３に示すように鱗茎４から根４ａと芽４ｂが伸びてくる。根４ａが水槽１の底面に沿ってある程度放射状且つ水平方向に広がって自立可能になったならば、そのタイミングで鱗茎４を根４ａと芽４ｂとともにトレイ２から取り出す。
【００１５】
前記水槽１の別実施例としては、図４に示すように、水槽１の底面でトレイ２の凹部３に形成した穴５に対向する箇所には上方への膨出部６を形成する構造が考えられる。この膨出部６は穴５から下に伸びる根を、放射状且つ均等に分けるものであり、より自立しやすくなる。尚、膨出部６の形状としては図示した形状に限定されるものではない。
【００１６】
トレイ２から取り出した鱗茎４は、例えば図５に示すように、水を張った皿７の上にそのままの姿勢で置く。その後、必要に応じて、鱗片、根或いは芽をサラダ、炒め物、てんぷらなどに調理する。
【図面の簡単な説明】
【００１７】
【図１】本発明方法の実施に用いる水耕栽培装置の斜視図
【図２】同水耕栽培装置の断面図
【図３】根と芽が出た状態の図２と同様の断面図
【図４】別実施例を説明した図３と同様の断面図
【図５】皿の上で自立している状態の大蒜を示す図
【符号の説明】
【００１８】
１…水槽、２…トレイ、３…凹部、４…鱗茎、４ａ…根、４ｂ…芽、５…穴、６…膨出部、７…皿。
【図１】
2009254295.tif 000003
【図２】
2009254295.tif 000004
【図３】
2009254295.tif 000005
【図４】
2009254295.tif 000006
【図５】
2009254295.tif 000007
(57)【要約】【課題】油が付着したゴミを油とゴミに短時間で且つ人手を掛けることなく分離する油ゴミ分離装置を提供する。【解決手段】油ゴミ分離装置は、油とゴミとを別々にゴミ処理するために油が付着したゴミ（１２）から油を分離する油ゴミ分離装置（１）において、油が付着したゴミを入れる網袋（３）と、上記油が付着したゴミ（１２）が入れられた網袋（３）に遠心分離処理を施して油とゴミとを分離する遠心分離装置（２）と、を有する。【選択図】図１
2009254937.tif 000002
【特許請求の範囲】
【請求項１】
油とゴミとを別々に処理するために油が付着したゴミから油を分離する油ゴミ分離装置において、
油が付着したゴミを入れる網袋と、
上記油が付着したゴミが入れられた網袋に遠心分離処理を施して油とゴミとを分離する遠心分離装置と、
を有することを特徴とする油ゴミ分離装置。
【請求項２】
上記遠心分離装置は、
側壁が網で構成されるとともに回転自在に支持された網付脱油槽および上記網付脱油槽を内側に取り囲む受油槽を有し、
上記油が付着したゴミが入れられた網袋が入った状態で上記網付脱油槽が回転すると油が上記受油槽に分離されることを特徴とする請求項１に記載の油ゴミ分離装置。
【発明の詳細な説明】
【技術分野】
【０００１】
この発明は、油で汚れたゴミを油とゴミとに分離する油ゴミ分離装置に関するものである。
【背景技術】
【０００２】
廃油回収容器は、全体として箱型形状であって、開口部と、濾過部材と、排出口と、傾斜面とを有する。開口部は、箱型形状の廃油回収容器の上部に備えられ、また開口部の一辺より延伸成形された傾斜面が設けられ、塵取りに似た形状となっている。また、濾過部材は、保持部材によって開口部の全体を覆うように備えられている（例えば、特許文献１参照）。
【０００３】
【特許文献１】特開２００６−２５６７４９号公報
【発明の開示】
【発明が解決しようとする課題】
【０００４】
しかし、油ゴミを網の上に載せ、それを器具を使用し手動で押さえて油のみを下の受け皿に落としてゴミと油とを分離するため、時間と労力が多くかかるという問題がある。
また、受け皿の油を手作業で容器に移し、網に残ったゴミも手作業で網の上で集めてからゴミ袋に移すので、時間と労力が多くかかるという問題がある。
【０００５】
この発明の目的は、油が付着したゴミを油とゴミに短時間で且つ人手を掛けることなく分離する油ゴミ分離装置を提供することである。
【課題を解決するための手段】
【０００６】
この発明に係る油ゴミ分離装置は、油とゴミとを別々に処理するために油が付着したゴミから油を分離する油ゴミ分離装置において、油が付着したゴミを入れる網袋と、上記油が付着したゴミが入れられた網袋に遠心分離処理を施して油とゴミとを分離する遠心分離装置と、を有する。
【発明の効果】
【０００７】
この発明に係る油ゴミ分離装置の効果は、油ゴミを網袋に入れてから網付脱油槽に入れるので、油ゴミを網付脱油槽に入れる作業が簡単で且つ衛生的に行える。また、網付脱油槽を回転することにより油とゴミとを分離するので、分離に要する時間を短縮することができる。
【発明を実施するための最良の形態】
【０００８】
図１は、この発明を実施するための最良の形態に係る油ゴミ分離装置の内部の様子を示す斜視図である。
この発明に係る油ゴミ分離装置１は、油が付着したゴミを油とゴミとに分離する遠心分離装置２と遠心分離装置２に付属する網袋３とから構成される。
この発明に係る遠心分離装置２は、回転自在に支持された網付脱油槽４、網付脱油槽４を回転するモータ５、網付脱油槽４を内側に取り囲む受油槽９、油が付着したゴミから分離される油を溜めるタンク６、タンク６に溜まった油を排出する電動ポンプ７、遠心分離装置２を制御する操作盤８を備える。
【０００９】
次に、この発明に係る油ゴミ分離装置１を用いて油が付着したゴミ（以下、「油ゴミ」と称す）１２を油とゴミとに分離する手順を説明する。
例えば、エスカレータの下部トラスに貯まった油ゴミ１２をチリトリ１１に回収し、次に、チリトリ１１に回収した油ゴミ１２を網袋３に入れ、網袋３の口を縛る。
次に、油ゴミ１２が入れられた網袋３を網付脱油槽４に入れ、操作盤８を操作してモータ５を駆動して網付脱油槽４を回転する。
網付脱油槽４を回転すると網袋３に遠心力が作用して網付脱油槽４の内側壁に張り付き、回転しながら油ゴミ１２に付着している油が網付脱油槽４の側壁の網の部分を通って受油槽９に当たって受油槽９の底に集まり、底に集まってきた油は排油管１４を通ってタンク６に溜まる。
タンク６の側面には油量確認ゲージ１５が設けられており、油量が所定の油量まで溜まったら、電動ポンプ７の出口に排油パイプ１６を繋ぎ、排油パイプ１６の出口に空き缶１７を配置してから電動ポンプ７を作動する。するとタンク６に溜まった油は排油パイプ１６を通り空き缶１７に排油される。
一方、油ゴミ１２から油が脱油されたゴミは網袋３内に残されるので、網袋３ごと網付脱油槽４から取り出し、ゴミとして処分する。
【００１０】
この発明に係る油ゴミ分離装置１は、油ゴミ１２を網袋３に入れてから網付脱油槽４に入れるので、油ゴミ１２を網付脱油槽４に入れる作業が簡単で且つ衛生的に行える。
また、網付脱油槽４を回転することにより油とゴミとを分離するので、分離に要する時間を短縮することができる。
また、油が取り除かれたゴミが網袋３内に収まっており、網袋３まるごとでゴミ処理に出せるので、ゴミ処理が簡単になる。
また、油ゴミ１２から分離された油もタンク６に溜められ、電動ポンプ７を使って空き缶１７に移し替えるので、油の回収に際して手を汚すことがない。
また、遠心分離装置２は可搬し得るように小型化できるので、例えば、エスカレータが設置されている場所で油と網袋３に収まったゴミとに分離することができる。
【図面の簡単な説明】
【００１１】
【図１】この発明を実施するための最良の形態に係る油ゴミ分離装置の内部の様子を示す斜視図である。
【符号の説明】
【００１２】
１  油ゴミ分離装置、２  遠心分離装置、３  網袋、４  網付脱油槽、５  モータ、６  タンク、７  電動ポンプ、８  操作盤、９  受油槽、１１  チリトリ、１２  油ゴミ、１４  排油管、１５  油量確認ゲージ、１６  排油パイプ、１７  空き缶。
【図１】
2009254937.tif 000003
(57)【要約】【課題】本発明の課題はストロボの発光機構を構成する放電管、反射板、側反射部のうち、前記側反射部を発光機構から別体とし、これを光学系筐体内の側部に設けて、光学系筐体を製造にともなって一緒に製造でき、これによって発光機構の部品点数を減少し、製造の容易性を確保しようとするものである。【解決手段】外付けストロボの機能を内蔵したストロボ本体と、該ストロボ本体の発光機構を内蔵した光学系筐体と、該筐体の内側に設けられ前記発光機構の側反射に該当する側反射部と、該側反射部間に設けられ必要に応じて発光される放電管と、該放電管の発光を前記側反射部で反射し、前記放電管の背部を包むように設置された反射板とからなり前記側反射部を前記反射板とは別体で光学系筐体の内側に設けられたことを特徴とするストロボの発光部装置。【選択図】  図２
2009237506.tif 000002
【特許請求の範囲】
【請求項１】
外付けストロボの機能を内蔵したストロボ本体と、該ストロボ本体の発光機構を内蔵した光学系筐体と、該筐体の内側に設けられ前記発光機構の側反射に該当する側反射部と、該側反射部間に設けられ必要に応じて発光される放電管と、該放電管の発光を前記側反射部で反射し、前記放電管の背部を包むように設置された反射板とからなり前記側反射部を前記反射板とは別体で光学系筐体の内側に設けられたことを特徴とするストロボの発光部装置。
【発明の詳細な説明】
【技術分野】
【０００１】
本発明は、ストロボの発光部に使用される発光機構の側反射部を光学系筐体の内側に設けて発光機構の部品点数を減少するストロボの発光部装置に関する。
【背景技術】
【０００２】
カメラに対し機械的及び電気的に結合され、カメラの操作に連動してフラッシュをする一般的なストロボは、カメラに内蔵されるストロボとカメラとは距離的に離れていてカメラの光りに同期してフラッシングする所謂外付けストロボ（スレーブストロボ）は各種の構造を採用しているが、途中で筐体が屈曲出来る構造を採用したストロボ本体は一方を光学系筐体とし、この光学系筐体はカメラの機能に連動して発光させ、内部に電池とコンデンサを収納して構成される。
【０００３】
他方はインタフェース機能筐体で、該インタフェース機能筐体は内部にバッテリ、マイコン、昇圧回路、インターフエース回路、センサなどが電気的に接続されて内臓される。結局、ストロボ本体は光学系筐体とインタフェース機能機構で構成されるのである。
【０００４】
従来のストロボの光学系筐体は内部に反射機能の反射板、放電管、側反射部が構成されるが、この場合部品点数が多くなり、特に側反射部が光学系筐体と一体的に構成できれば発光機構の部品点数も少なく製造も容易で、しかも、光学系筐体の製造時に伴って容易に側反射部が構成できる利便性が生じる。
【０００５】
特許文献１は、反射鏡を示しているが側反射部を考慮したものでなく材料を考慮したもので、ストロボの光学系筐体を利用するものではない。
図１は又従来の反射機構を示しているが、放電管２１の発光を反射板２２とこの反射板２２と一体的に構成された側反射板２３とでなっていてストロボの筐体と一体的に形成する構造は採用されていないものである。
【特許文献１】特開２００８−０３３３４５号
【発明の開示】
【発明が解決しようとする課題】
【０００６】
本発明の課題はストロボの発光機構を構成する放電管、反射板、側反射部のうち、前記側反射部を発光機構から別体とし、これを光学系筐体内の側部に設けて、光学系筐体を製造するに伴って容易に形成でき、これによって発光機構の部品点数の減少と製造の容易性を確保しようとするものである。
【課題を解決するための手段】
【０００７】
本発明の課題を解決する手段は、外付けストロボの機能を内蔵したストロボ本体と、該ストロボ本体の発光機構を内蔵した光学系筐体と、該筐体の内側に設けられ前記発光機構の側反射に該当する側反射部と、該側反射部間に設けられ必要に応じて発光される放電管と、該放電管の発光を前記側反射部で反射し、前記放電管の背部を包むように設置された反射板とからなるもので、前記側反射部を前記反射板とは別体で光学系筐体の内側に設けられたことを特徴とするものである。
【発明の効果】
【０００８】
本発明によれば、発光機構の内、反射板とその側反射の側反射部を光学系筐体の内側に設けるので発光機構の製造が容易になり、管理が容易になり、しかも、光学系筐体の製造にともなって側反射部が形成できる効果が生じるものである。
【発明を実施するための最良の形態】
【０００９】
以下、 図２を参照して、本発明の一実施例に係わるストロボの発光部装置を説明するが、図２はストロボ本体の斜視図である。
先ず１１はストロボ本体で、このストロボ本体１１はカメラとストロボとのインタフェースをとる主にインタフェース機能と電池収納蓋内に電池を内蔵した構造とからなるインタフェース機能筐体１と、内部に放電管２等を内蔵し前面にプラスチック製のフレネルレンズ４を装着した光学系筐体３とからなっている。
【００１０】
即ち、光学系筐体３にはコンデンサ、及び発光機構が収納される。発光機構は放電管２の両端を前記光学系筐体の側部６の内側側部に設けた側反射部７に機構的に設置され、放電管２が脱落しないようになっている。前記放電管２の背部には放電管２を包むように反射板９が配置され、前記側反射部７と反射板９とで放電管２の発光を前方に光学的に反射する。
【００１１】
次にインタフェーイス機能筐体１はバッテリ、マイコン、昇圧回路、インタフェーイス回路及びセンサが内蔵され、前記光学系筐体３とインタフェース機能筐体１とは中央で矢印Ａの回動で屈曲できる屈曲構造部５で結合されて構成される。
【００１２】
前記側反射部７は反射板９と機構的に寸法的に一致させるように予め調整するのは勿論で、更に光学系筐体３の側反射部７箇所を発光塗料で塗布処理することで容易にしかも部品を必要とせず側反射部７を得ることができる。
【００１３】
これによってストロボの発光機構は単純化が可能でしかも光学系筐体３と一体的に側反射部７を得ることができる。また、従前のストロボの発光機構の側反射板２３は不要になり製造が容易になるものである。
尚側反射部７は放電管２からの光を前方に反射する効率を求めてやや勾配を付与してもよく、この場合光学系筐体３を製造する際、同時に形成できる。
【産業上の利用可能性】
【００１４】
以上、本発明は光学系筐体の側部６の内側に側反射部７を設けたからこれに光学系筐体３の製造時に連続的に反射フイルムを貼付してもよく、或いは塗料を塗布してもよく、産業上の利用は可能性が大であり普及も見込まれるものである。
【図面の簡単な説明】
【００１５】
【図１】従来の発光機構の斜視図である。
【図２】本発明の一実施例に係わるストロボの発光部装置の斜視図。
【符号の説明】
【００１６】
１   インタフェース機能筐体
２   放電管
３   光学系筐体
４   フレネルレンズ
５   屈曲構造部
６   側部
７   側反射部
９   反射板
１１  ストロボ本体
２１  放電管
２２  反射板
２３  側反射板
【図１】
2009237506.tif 000003
【図２】
2009237506.tif 000004